(57)【特許請求の範囲】
【請求項１】
左右一対の中空状支柱本体(2)、両支柱本体(2)間に渡し止められた中空状踏桟(3)(3A)および各支柱本体(2)の下端部に摺動自在に嵌め入れられた伸縮脚(4)を有する梯子状組立体(1)を所定の脚長で固定する伸縮脚ロック装置であって、伸縮脚(4)に設けられたラック(10)と、踏桟(3A)の側壁を貫通する水平状ロック部材支持軸(12)と、ラック(10)に噛み合わされている歯(29)を有しロック部材支持軸(12)に回動自在に支持されているロック部材(13)と、ラック(10)に噛み合う方向にロック部材(13)を付勢する弾性部材(14)とを備えているものにおいて、
ロック部材(13)は、ロック部材支持軸挿通用孔(27a)および上方突出部(31)が設けられている水平筒状部(27)と、これの下方に連なりラック(10)に対向する面に歯(29)が設けられているブロック状部(28)と、ブロック状部(28)のラック(10)に対向しない方の面に設けられた把手部(30)とを有し、踏桟(3A)の下壁が、ロック部材(13)が回動可能なように切り欠かれており、
弾性部材(14)は、ねじりコイルバネとされて、両端部がそれぞれロック部材支持軸(12)の端部に巻かれてその端が踏桟(3A)の上壁に下方から当接させられるとともに、中央部分がＵ字状とされてそのＵ字状部分の底部(14a)がロック部材(13)の水平筒状部(27)に設けられたばね受け用突出部(33)に上方から当てられており、
水平筒状部(27)の上方突出部(31)は、踏桟(3A)上壁下面との間に間隙(G)を有し、ロック部材(13)をロック解除方向に移動させた際に踏桟(3A)の上壁に下から当接するようになされており、水平筒状部(27)のロック部材支持軸挿通用孔(27a)は、上下に長い長孔とされており、踏桟(3A)に荷重がかかった際には、ロック部材支持軸(12)が長孔とされた挿通用孔(27a)に沿って下方に移動することで、踏桟(3A)上壁下面とロック部材(13)の上方突出部(31)との間の間隙(G)が小さくなり、これにより、踏桟(3A)に荷重がかかった際のロック解除操作が防止されていることを特徴とする伸縮脚ロック装置。
【請求項２】
ロック部材(13)の把手部(30)は、ロック解除状態で踏桟(3A)の下壁の下面とほぼ面一になる上面を有している請求項１の伸縮脚ロック装置。
【発明の詳細な説明】
【０００１】
【発明の属する技術分野】
この発明は、脚立、梯子、作業台等の脚（以下、梯子状組立体と称す）を伸縮させて所定の脚長で固定する伸縮脚ロック装置に関する。
【０００２】
【従来の技術】
従来、左右一対の中空状支柱本体、両支柱本体間に渡し止められた中空状踏桟および各支柱本体の下端部に摺動自在に嵌め入れられた伸縮脚を有する梯子状組立体を所定の脚長で固定する伸縮脚ロック装置として、伸縮脚に設けられたラックと、ラックに噛み合わされている歯を有し支柱本体の下端部に回動自在に支持されているロック部材と、ラックに噛み合う方向にロック部材を付勢する弾性部材とを備えているものが知られている。
【０００３】
【発明が解決しようとする課題】
上記従来の伸縮脚ロック装置では、梯子状組立体の運搬時や伸縮脚の摺動時にこの伸縮脚ロック装置が邪魔にならないことが必要であり、また、この装置の組立てや製造の容易さのために、部品点数の減少が求められている。
【０００４】
この発明の目的は、伸縮脚ロック装置が邪魔にならず、しかも、部品点数および組立工数が少なくて済む伸縮脚ロック装置を提供することにある。
【０００５】
【課題を解決するための手段および発明の効果】
この発明による伸縮脚ロック装置は、左右一対の中空状支柱本体、両支柱本体間に渡し止められた中空状踏桟および各支柱本体の下端部に摺動自在に嵌め入れられた伸縮脚を有する梯子状組立体を所定の脚長で固定する伸縮脚ロック装置であって、伸縮脚に設けられたラックと、踏桟の側壁を貫通する水平状ロック部材支持軸と、ラックに噛み合わされている歯を有しロック部材支持軸に回動自在に支持されているロック部材と、ラックに噛み合う方向にロック部材を付勢する弾性部材とを備えているものにおいて、ロック部材は、ロック部材支持軸挿通用孔および上方突出部が設けられている水平筒状部と、これの下方に連なりラックに対向する面に歯が設けられているブロック状部と、ブロック状部のラックに対向しない方の面に設けられた把手部とを有し、踏桟の下壁が、ロック部材が回動可能なように切り欠かれており、弾性部材は、ねじりコイルバネとされて、両端部がそれぞれロック部材支持軸の端部に巻かれてその端が踏桟の上壁に下方から当接させられるとともに、中央部分がＵ字状とされてそのＵ字状部分の底部がロック部材の水平筒状部に設けられたばね受け用突出部に上方から当てられており、水平筒状部の上方突出部は、踏桟上壁下面との間に間隙を有し、ロック部材をロック解除方向に移動させた際に踏桟の上壁に下から当接するようになされており、水平筒状部のロック部材支持軸挿通用孔は、上下に長い長孔とされており、踏桟に荷重がかかった際には、ロック部材支持軸が長孔とされた挿通用孔に沿って下方に移動することで、踏桟上壁下面とロック部材の上方突出部との間の間隙が小さくなり、これにより、踏桟に荷重がかかった際のロック解除操作が防止されていることを特徴とするものである。
【０００６】
この発明の伸縮脚ロック装置によると、これを構成するロック部材支持軸の中間部分およびロック部材が踏桟の側壁間に収められるので、伸縮脚ロック装置を設置するのに伴うスペースの増加はわずかであり、伸縮脚ロック装置を支柱本体の下端部にコンパクトに配置することができる。
【０００７】
ロック部材の把手部は、ロック解除状態で踏桟の下壁の下面とほぼ面一になる上面を有しているものとされる。
【０００８】
このようにすると、ロック部材をロック状態からロック解除方向に回動させると、ロック部材の把手部は、その上面が踏桟の下壁の下面とほぼ面一になってそれ以上の回動が実質的に阻止され、この位置がロック解除状態とされる。
【０００９】
【発明の実施の形態】
この発明の実施の形態を脚立に適用した場合について、以下図面を参照して説明する。以下の説明において、前後・左右については、図１を基準として、同図の左右を左右、紙面表側を前、裏側を後というものとし、時計方向および反時計方向についても、図１を基準にしていうものとする。また、水平・垂直は、脚が垂直に立てられたときを基準にしていうものとする。
【００１０】
図１に示すように、脚立（梯子状組立体）(1)は、左右一対の中空状支柱本体(2)と、両支柱本体(2)間に渡し止められた中空状踏桟(3)(3A)と、各支柱本体(2)の下端部に摺動自在に嵌め入れられた伸縮脚(4)と、伸縮脚(4)の下端に継手を介して接続された円盤状の滑り止め部材(5)と、支柱本体(2)の下端部に設けられて支柱本体(2)に対する伸縮脚(4)の摺動を規制する伸縮脚ロック装置(6)とを備えている。
【００１１】
支柱本体(2)、踏桟(3)(3A)および伸縮脚(4)は、すべてアルミニウム合金製形材であり、支柱本体(2)は、左右方向内向きに開口した水平断面コ字状に、踏桟(3)(3A)は、上下壁が凸円弧状の中空状に、伸縮脚(4)は水平断面略方形の中空状に、それぞれ形成されている。
【００１２】
図２から図５までは、左の支柱本体(2)に設けられた伸縮脚ロック装置(6)を示している。
【００１３】
伸縮脚ロック装置(6)は、伸縮脚(4)の右側壁右面に設けられたラック(10)と、踏桟(3A)の前後側壁を貫通しかつこれに支持された水平状ロック部材支持軸(12)と、ラック(10)に噛み合わされている歯(29)を有しかつロック部材支持軸(12)に回動自在に支持されているロック部材(13)と、ロック部材(13)の歯(29)がラック(10)にかみ合うようにロック部材(13)を付勢する弾性部材としてのねじりコイルばね(14)とを備えている。
【００１４】
ラック(10)には、断面方形の歯が所定のピッチで上下に連続的に設けられており、伸縮脚(4)の右側壁に設けられた凹部に嵌め入れられて固定されている。
【００１５】
ロック部材(13)は、ロック部材支持軸(12)が挿通されている水平筒状部(27)と、これの下方に連なるブロック状部(28)と、ブロック状部(28)の右方に連なる右方突出状（内方突出状）把手部(30)とを有している。歯(29)は、ブロック状部(28)の左側面に、計４つ上下に所定間隔をおいて設けられている。水平筒状部(27)に設けられたロック部材支持軸(12)の挿通用孔(27a)は、上下に長い長孔とされている。したがって、ロック部材支持軸(12)は、下向きの力を受けた場合に、挿通用孔(27a)に沿って下方に移動することができる。水平筒状部(27)には、さらに、Ｌ形の上方突出部(31)が設けられている。上方突出部(31)と踏桟(3A)上壁下面との間には、ロック部材(13)をロック解除方向に回動可能とする間隙(G)が設けられている。
【００１６】
ロック部材(13)は、水平筒状部(27)が踏桟(3A)を貫通するロック部材支持軸(12)に嵌め合わされることにより、その約２／３ぐらいの部分が踏桟(3A)内に収められ、残りの約１／３部分が踏桟(3A)の下壁よりも下方に位置させられている。これに対応して、踏桟(3A)の下壁には、ロック部材(13)との干渉を防止するための切欠き(32)が設けられている。
【００１７】
ねじりコイルばね(14)は、両端部がそれぞれロック部材支持軸(12)の端部に巻かれてその端が踏桟(3A)の上壁に下方から当接させられるとともに、中央部分がＵ字状とされてそのＵ字状部分の底部(14a)がロック部材(13)の水平筒状部(27)右面に設けられたばね受け用突出部(33)に上方から当てられている。ばね受け用突出部(33)は、ロック部材支持軸(12)の軸線よりも下方に位置させられており、これにより、ロック部材(13)は、時計方向、すなわち、歯(29)がラック(10)にかみ合う方向に付勢されている。
【００１８】
ロック部材(13)をねじりコイルばね(14)の弾性力に抗して歯(29)がラック(10)から外れる方向に回動させると、図３（ｂ）に示すように、ロック部材(13)の把手部(30)がほぼ水平になり、ロック部材(13)をそれ以上反時計方向（ロック解除方向）に移動させることが困難となり、ロック部材(13)のそれ以上の回動が実質的に阻止される。さらに、ロック部材(13)を回動させると、水平筒状部(27)に設けられた上方突出部(31)が踏桟(3A)の上壁に下から当接し、ここで、ロック部材(13)は停止させられる。
【００１９】
支柱本体(2)と踏桟(3A)とは、伸縮脚ロック装置(6)とは別に設けられた１対の板状金具(11)によって結合されている。この金具(11)は、押出形材としてでなく、プレス材として得ることができる。板状金具(11)は、それぞれがリベット(24)により支柱本体(2)および踏桟(3A)に固定されている。
【００２０】
この伸縮脚ロック装置(6)によると、梯子状組立体(1)使用時には、図３（ａ）に示すように、ラック(10)にロック部材(13)の歯(29)が噛み合い、伸縮脚(4)の支柱本体(2)に対する摺動が阻止される。ロック部材(13)は、ねじりコイルばね(14)により同図の時計方向に付勢されている。伸縮脚(4)を縮む方向へ移動させようとした場合には、ロック部材(13)には、これを時計方向に回動させようとする力が働き、この力はラック(10)と歯(9)とが噛み合う方向であるため、伸縮脚(4)は縮むことはない。そして、伸縮脚(4)を伸ばす方向へ移動させようとした場合には、ロック部材(13)には、これを反時計方向に回動させようとする力が働き、この力はラック(10)と歯(9)とが外れる方向であるため、ねじりコイルばね(14)の時計方向の付勢力より大きい力を掛けることにより、伸縮脚(4)を伸ばすことができる。そして、伸縮脚(4)を縮める場合（伸ばす場合でも可能）には、ロック部材(13)の把手部(30)を持ってこれを上方に押し上げ、図３（ｂ）に示すように、ラック(10)と歯(9)との噛み合いを外してやればよい。
【００２１】
図６は、図３（ａ）の状態で踏桟(3A)に荷重がかかった際の状態を示している。図３（ａ）の状態では、ねじりコイルバネ(14)の端が踏桟(3A)の上壁に下方から当接させられていることで、踏桟(3A)および踏桟(3A)と板状金具(11)によって結合されている支柱本体(2)は、伸縮脚(4)に対して上方に付勢されていることになり、踏桟(3A)に対して上下移動不可能なロック部材支持軸(12)は、長孔とされた挿通用孔(27a)の上部に位置し、これにより、上方突出部(31)と踏桟(3A)上壁下面との間の間隙(G)が確保されている。踏桟(3A)に荷重がかかった際には、踏桟(3A)および支柱本体(2)は、伸縮脚(4)に対して下方に移動しようとする。ロック部材支持軸(12)は、挿通用孔(27a)に沿って下方に移動することが可能であるので、荷重がねじりコイルバネ(14)の付勢力より大きい場合には、踏桟(3A)および支柱本体(2)も下方に移動する。こうして、図６に示した状態、すなわち、上方突出部(31)と踏桟(3A)上壁下面との間の間隙(G)が小さい状態が得られる。この状態では、ロック部材(13)をロック解除方向に移動させる間隙(G)が十分でなく、これにより、踏桟(3A)に荷重がかかった際のロック解除操作が防止される。
上記の伸縮脚ロック装置(6)では、これを構成するロック部材支持軸(12)の中間部分、ロック部材(13)およびねじりコイルばね(14)が踏桟(3A)の側壁間に収められている。したがって、伸縮脚ロック装置(6)を設置するのに伴うスペースの増加はわずかであり、伸縮脚ロック装置(6)を支柱本体(2)の下端部にコンパクトに配置することができる。また、ロック部材(13)もその一部を踏桟(3A)の下方に露出するのみで、その多くの部分が踏桟(3A)内にあり、伸縮脚ロック装置(6)がよりコンパクトなものとなっている。しかも、ロック部材(13)のロック解除方向への回動を所定位置で停止させるストッパが不要とされているので、部品点数および組立工数共に少なくすることができる。
【図面の簡単な説明】
【図１】この発明による伸縮脚ロック装置が設けられる脚立の一例を概略的に示す正面図である。
【図２】伸縮脚ロック装置を示す分解斜視図である。
【図３】同垂直断面図であり、図３（ａ）は、ロック状態を、図３（ｂ）は、ロック解除状態をそれぞれ示している。
【図４】図３のIV-IV 線に沿う断面図である。
【図５】図３のV-V 線に沿う断面図である。
【図６】図３（ａ）の状態で、踏桟に荷重がかかった際にどうなるかを示す垂直断面図である。
【符号の説明】
(1)     脚立（梯子状組立体）
(2)     支柱本体
(3)(3A) 踏桟
(4)     伸縮脚
(6)     伸縮脚ロック装置
(10)    ラック
(12)    ロック部材支持軸
(13)    ロック部材
(14)    ねじりコイルばね（弾性部材）
(14a)  底部
(27)    水平筒状部
(27a)   ロック部材支持軸挿通用孔
(28)    ブロック状部
(29)    歯
(30)    把手部
(31)    上方突出部
(32)    切欠き
(33)    ばね受け用突出部
(G)  間隙
【図１】
0003622053.tif 000002
【図２】
0003622053.tif 000003
【図３】
0003622053.tif 000004
【図４】
0003622053.tif 000005
【図５】
0003622053.tif 000006
【図６】
0003622053.tif 000007